(57)【特許請求の範囲】
【請求項１】
レーザーダイオードから放射されたレーザー光が発散光として入射されるとともに該レーザー光を平行光に変換するコリメートレンズと、該コリメートレンズにて平行光に変換されたレーザー光が入射される入射面、該入射面から入射されたレーザー光を反射させる反射面、該反射面にて反射されたレーザー光を該反射面方向へ反射させるとともに該反射面から再度反射されたレーザー光を対物レンズ方向へ出射させる反射兼出射面が設けられたプリズムを備えた光ピックアップ装置であり、前記プリズムに設けられている反射兼出射面から出射されるレーザー光の出射方向が前記反射面に対して垂直になるようにしたことを特徴とする光ピックアップ装置。
【請求項２】
プリズムの反射兼出射面から出射されるレーザー光の出射方向と対物レンズの光軸とを一致させたことを特徴とする請求項１に記載の光ピックアップ装置。
【請求項３】
プリズムの反射面を光ディスクの信号面と平行になるように配置された光ピックップ装置の底板に固定するようにしたことを特徴とする請求項２に記載の光ピックアップ装置。
【請求項４】
プリズムの入射面に入射されたレーザー光を反射面方向へ屈折させるようにしたことを特徴とする請求項１に記載の光ピックアップ装置。
【請求項５】
プリズムの入射面と反射面との間の内角と反射兼出射面と反射面との間の内角とが同一の角度になるようにしたことを特徴とする請求項１に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
図３は光ディスク装置に使用されている一般的な光ピックアップ装置を示す概略図である。同図において、１は例えば波長が６５０ｎｍの赤色光であるレーザー光を放射するレーザーダイオード、２は前記レーザーダイオード１から放射されるレーザー光が入射される回折格子であり、レーザー光を０次光、＋１次光及び−１次光に分離する回折格子部２ａと入射されるレーザー光をＳ方向の直線偏光光に変換する１／２波長板２ｂとより構成されている。
【０００４】
３は前記回折格子２を透過したレーザー光が入射される偏光ビームスプリッタであり、Ｓ偏光されたレーザー光を反射し、Ｐ方向に偏光されたレーザー光を透過させる制御膜３ａが設けられている。４は前記レーザーダイオード１から放射されたレーザー光の中の前記偏光ビームスプリッタ３に設けられている制御膜３ａを透過したレーザー光が照射される位置に設けられているモニター用光検出器であり、その検出出力は前記レーザーダイオード１から放射されるレーザー光の出力を制御するために使用される。
【０００５】
５は前記偏光ビームスプリッタ３の制御膜３ａにて反射されたレーザー光が入射される位置に設けられている１／４波長板であり、入射されるレーザー光を直線偏光光から円偏光光に変換する作用を成すものである。６は前記１／４波長板５を透過した発散光であるレーザー光が入射されるコリメートレンズであり、入射されたレーザー光を平行光にする作用を成すとともに光ディスクＤの保護層による球面収差を補正するために設けられている。
【０００６】
７は前記コリメートレンズ６にて平行光に変換されたレーザー光が入射されるとともに該レーザー光を光ディスクＤの信号面方向へ反射させる反射ミラーであり、後述するように光ディスクＤの信号記録層から反射された戻り光が入射されるとともに該戻り光を前記偏光ビームスプリッタ３の方向へ反射させる作用を成すように設けられている。
【０００７】
８は前記偏光ビームスプリッタ３に設けられている制御膜３ａを透過した戻り光が入射されるセンサーレンズであり、シリンドリカル面、平面、凹曲面または凸曲面等が入射面側及び出射面側に形成されている。斯かるセンサーレンズ８は戻り光に非点収差を発生させることによってフォーカス制御動作に使用されるフォーカスエラー信号を生成させるために設けられている。
【０００８】
９は前記センサーレンズ８を通過した戻り光が集光されて照射される位置に設けられている光検出器であり、フォトダイオードが配列された４分割センサー等にて構成されている。斯かる光検出器９の構成及び非点収差法によるフォーカスエラー信号の生成動作等は周知であり、その説明は省略する。
【０００９】
１０は前記反射ミラー７にて反射されたレーザー光が入射されるとともに入射されたレ
ーザー光を光ディスクＤに設けられている信号記録層に集光させる対物レンズであり、該対物レンズ１０は、例えば４本の支持ワイヤーによって光ディスクＤの信号面に対して垂直方向、即ちフォーカス方向への変位動作及び光ディスクの径方向、即ちトラッキング方向への変位動作を可能に設けられているレンズホルダーに固定されている。斯かるレンズホルダーの支持機構等の構成は周知であり、その説明は省略する。
【００１０】
斯かる構成の光ピックアップ装置を使用して光ディスクＤに記録されている信号の再生動作を行う場合には、レーザーダイオード１に駆動電流が供給され、該レーザーダイオード１から波長が６５０ｎｍのレーザー光が放射される。前記レーザーダイオード１から放射されたレーザー光は、回折格子２に入射され、該回折格子２を構成する回折格子部２ａによって０次光、＋１次光及び−１次光に分離されるとともに１／２波長板２ｂによってＳ方向の直線偏光光に変換される。前記回折格子２を透過したレーザー光は、偏光ビームスプリッタ３に入射され、該偏光ビームスプリッタ３に設けられている制御膜３ａにて反射されるとともに一部のレーザー光は該制御膜３ａを透過してモニター用光検出器４に照射される。
【００１１】
前記制御膜３ａにて反射されたレーザー光は、１／４波長板５を通してコリメートレンズ６に入射され該コリメートレンズ６の働きによって平行光に変換される。前記コリメートレンズ６によって平行光に変換されたレーザー光は、反射ミラー７にて反射された後対物レンズ１０に入射される。前記対物レンズ１０に入射されたレーザー光は該対物レンズ１０の集光動作によって光ディスクＤの信号記録層にスポットとして照射されることになる。このようにして、レーザーダイオード１から放射されるレーザー光は、光ディスクＤの信号記録層に所望のスポットとして照射されるが、この場合における対物レンズ１０の開口数は０．６になるように設定されている。
【００１２】
また、前述した対物レンズ１０によるレーザー光の集光動作が行われるとき、信号記録層と光ディスクＤの信号入射面との間にある保護層の厚みの相違によって球面収差が発生するが、本実施例に示したコリメートレンズ６を光路方向へ変位させることによってこの球面収差が最も少なくなるように調整することが出来る。斯かる調整動作は一般的に行われており、その説明は省略する。
【００１３】
前述した動作によってレーザー光の光ディスクＤに設けられている信号記録層への照射動作が行われるが、斯かる照射動作が行われるとき、該信号記録層から反射される戻り光が対物レンズ１０に対して光ディスクＤ側から入射される。前記対物レンズ１０に入射された戻り光は、反射ミラー７、コリメートレンズ６及び１／４波長板５を通して偏光ビームスプリッタ３に入射される。前記偏光ビームスプリッタ３に入射される戻り光は、前記１／４波長板５によってＰ方向の直線偏光光に変換されているので、該偏光ビームスプリッタ３に設けられている制御膜３ａを透過することになる。
【００１４】
前記制御膜３ａを透過したレーザー光の戻り光は、センサーレンズ８に入射され、該センサーレンズ８の働きによって非点収差が発生せしめられる。前記センサーレンズ８によって非点収差が発生せしめられた戻り光は、該センサーレンズ８の集光動作によって光検出器９に設けられている４分割センサー等のセンサー部に照射される。このようにして戻り光が光検出器９に照射される結果、該光検出器９に組み込まれているセンサー部に照射されるスポット形状の変化を利用して周知のようにフォーカスエラー信号の生成動作が行われる。斯かるフォーカスエラー信号を利用して対物レンズ１０を光ディスクＤの信号面方向へ変位させることによってフォーカス制御動作を行うことが出来る。
【００１５】
また、本実施例では説明しないが、回折格子２によって生成される＋1次光と−1次光を利用した周知のトラッキング制御動作を行うことが出来るように構成されており、斯かる
トラッキング制御動作によって対物レンズ１０をトラッキング方向へ変位させることによって光ディスクＤに記録されている信号の読み取り動作を行うことが出来る。
【００１６】
前述したように光ディスクＤに記録されている信号の読み取り動作は行われるが、斯かる読み取り動作が行われているとき、モニター用光検出器４にレーザー光の一部が照射されているので、該モニター用光検出器４から得られるモニター信号のレベル変化を利用してレーザーダイオード１に供給される駆動電流値を制御することが出来る。
【００１７】
レーザーダイオード１に供給される駆動電流値を制御することによってレーザー光の出力を制御することが出来るので、光ディスクＤに記録されている信号の再生動作だけでなく該光ディスクＤに信号を記録する場合に要求されるレーザー出力の調整動作も行うことが出来る。
【００１８】
一般的な光ピックアップ装置は、図２に示したように構成されており、同図より明らかなようにコリメートレンズ６にて平行光に変換されたレーザー光は、反射ミラー７によって対物レンズ１０の方向に反射され、その反射方向は平行光に対して直角になるように構成されている。
【００１９】
そして、対物レンズ１０の光軸は、光ディスクＤの信号面に対して垂直になるように配置されるとともにコリメートレンズ６にて平行光に変換されたレーザー光は、前記対物レンズ１０の光軸に対して直角になるように構成されている。その結果、反射ミラー７の基台１１に対する取り付け角度は、図示したように４５度になるように構成されている。
【００２０】
尚、図３において、偏向ビームスプリッタ３及びコリメートレンズ６等の光学素子の寸法や配置は、説明のために実際とは異なるように描いている。即ち、実際の光ピックアップ装置では、全ての光学素子は、基台１１と光ディスクＤとの間の空間部に配置されるように構成されている。
【００２１】
光ピックアップ装置の厚さ、即ち基台１１とディスクＤとの間の距離は、反射ミラー７の高さ、該反射ミラー７と対物レンズ１０との間の距離、対物レンズ１０の厚さ及び対物レンズ１０と光ディスクＤとの間の距離によって決定される。
【００２２】
同一の対物レンズを使用する光ピックアップ装置では、光ピックアップ装置の厚さを決定する要素の中の反射ミラー７と対物レンズ１０との間の距離及び対物レンズ１０と光ディスクＤとの間の距離を短くすることは出来ないので、反射ミラー７の高さを低くすることが要求されている。
【００２３】
前記反射ミラー７の基台１１に対する取り付け角度を４５度にした場合、反射ミラー７の高さは、レーザー光のビーム径より大きくする必要があるので、該反射ミラー７の高さを低くすることが出来なかった。
【００２４】
斯かる問題を解決し、光ピックアップ装置の薄型化を行う方法としてプリズムを使用した技術が提案されている。（特許文献１参照。）
【特許文献１】特開２０００−１１３４９２号公報
【発明の開示】
【発明が解決しようとする課題】
【００２５】
前述した特許文献には、コリメートレンズにて平行光に変換されたレーザー光を対物レンズ方向へ導くべく光路を変更する手段としてプリズムをした光ピックアップ装置が記載されている。
【００２６】
斯かる技術によれば光ピックアップ装置を薄型にすることは出来るもののプリズム内に設けられている各反射面で１度だけ反射させて対物レンズ方向へレーザー光を導くように構成されているため、更なる薄型化を行うことが出来なかった。
【００２７】
本発明は、斯かる特許文献に記載の技術よりも更に薄型化することが出来る光ピックアップ装置を提供しようとするものである。
【課題を解決するための手段】
【００２８】
本発明は、レーザーダイオードから放射されたレーザー光が発散光として入射されるとともに該レーザー光を平行光に変換するコリメートレンズと、該コリメートレンズにて平行光に変換されたレーザー光が入射される入射面、該入射面から入射されたレーザー光を反射させる反射面、該反射面にて反射されたレーザー光を該反射面方向へ反射させるとともに該反射面から再度反射されたレーザー光を対物レンズ方向へ出射させる反射兼出射面が設けられたプリズムを備え、前記プリズムに設けられている反射兼出射面から出射されるレーザー光の出射方向が前記反射面に対して垂直になるようにしたことを特徴とするものである。
【００２９】
また、本発明は、プリズムの反射兼出射面から出射されるレーザー光の出射方向と対物レンズの光軸とを一致させたことを特徴とするものである。
【００３０】
そして、本発明は、プリズムの反射面を光ディスクの信号面と平行になるように配置された光ピックップ装置の底板に固定するようにしたことを特徴とするものである。
【００３１】
また、本発明は、プリズムの入射面に入射されたレーザー光を反射面方向へ屈折させるようにしたことを特徴とするものである。
【００３２】
そして、本発明は、プリズムの入射面と反射面との間の内角と反射兼出射面と反射面との間の内角とが同一の角度になるようにしたことを特徴とするものである。
【発明の効果】
【００３３】
本発明の光ピックアップ装置は、レーザーダイオードから放射されたレーザー光が発散光として入射されるとともに該レーザー光を平行光に変換するコリメートレンズと、該コリメートレンズにて平行光に変換されたレーザー光が入射される入射面、該入射面から入射されたレーザー光を反射させる反射面、該反射面にて反射されたレーザー光を該反射面方向へ反射させるとともに該反射面から再度反射されたレーザー光を対物レンズ方向へ出射させる反射兼出射面が設けられたプリズムを備え、前記プリズムに設けられている反射兼出射面から出射されるレーザー光の出射方向が前記反射面に対して垂直になるようにしたので、即ち同一の反射面にて２回反射させるようにしたので、プリズムの厚さを薄くすることが出来る。従って、本発明によれば光ピックアップ装置の薄型化を簡単に行うことが出来る。
【００３４】
また、本発明の光ピックアップ装置は、プリズムの入射面に入射されたレーザー光を反射面方向へ屈折させるようにしたので、即ちプリズムの入射面に対して垂直にレーザー光を入射させる場合と比較して光学部品のプリズムの高さ方向の配置位置を低くすることが出来るという利点を有している。従って、本発明によれば光ピックアップ装置の薄型化を行うことが出来る。
【実施例】
【００３５】
図１は本発明の光ピックアップ装置を示す概略図、図２は本発明のプリズムを示す拡大
図である。
【００３６】
図１において、１２は例えば波長が６５０ｎｍの赤色光であるレーザー光を放射するレーザーダイオード、１３は前記レーザーダイオード１２から放射されるレーザー光が入射される回折格子であり、レーザー光を０次光、＋１次光及び−１次光に分離する回折格子部１３ａと入射されるレーザー光をＳ方向の直線偏光光に変換する１／２波長板１３ｂとより構成されている。
【００３７】
１４は前記回折格子１３を透過したレーザー光が入射される偏光ビームスプリッタであり、Ｓ偏光されたレーザー光を反射し、Ｐ方向に偏光されたレーザー光を透過させる制御膜１４ａが設けられている。１５は前記レーザーダイオード１２から放射されたレーザー光の中の前記偏光ビームスプリッタ１４に設けられている制御膜１４ａを透過したレーザー光が照射される位置に設けられているモニター用光検出器であり、その検出出力は前記レーザーダイオード１２から放射されるレーザー光の出力を制御するために使用される。
【００３８】
１６は前記偏光ビームスプリッタ１４の制御膜１４ａにて反射されたレーザー光が入射される位置に設けられている１／４波長板であり、入射されるレーザー光を直線偏光光から円偏光光に変換する作用を成すものである。１７は前記１／４波長板１６を透過した発散光であるレーザー光が入射されるコリメートレンズであり、入射されたレーザー光を平行光に変換する作用を成すとともに光ディスクＤの保護層による球面収差を補正するために設けられている。
【００３９】
１８は前記コリメートレンズ１７にて平行光に変換されたレーザー光が入射される入射面１８ａ、該入射面１８ａにて屈折されたレーザー光が照射されるとともに該レーザー光を反射させる反射面１８ｂ及び該反射面１８ｂにて反射されたレーザー光が照射されるとともに該レーザー光を前記反射面１８ｂ方向へ反射させ、且つ該反射面１８ｂにて再度反射されたレーザー光が照射され、更にこのようにして照射されたレーザー光を外部に出射する反射兼出射面１８ｃが設けられているプリズムであり、硝材として例えばＢＫ７ガラスが使用される。
【００４０】
斯かる構成のプリズムにおいて、前記反射兼出射面１８ｃから出射されるレーザー光は対物レンズ１９の光軸と一致する方向へ偏向出射されるように構成されている。
【００４１】
また、前記プリズム１８は、光ディスクＤの信号記録層から反射された戻り光が前記対物レンズ１９を通して入射されるとともに該戻り光を前記偏光ビームスプリッタ１４の方向へ出射させる作用を成すように設けられている。
【００４２】
２０は前記偏光ビームスプリッタ１４に設けられている制御膜１４ａを透過した戻り光が入射されるセンサーレンズであり、シリンドリカル面、平面、凹曲面または凸曲面等が入射面側及び出射面側に形成されている。斯かるセンサーレンズ２０は戻り光に非点収差を発生させることによってフォーカス制御動作に使用されるフォーカスエラー信号を生成させるために設けられている。
【００４３】
２１は前記センサーレンズ２０を通過した戻り光が集光されて照射される位置に設けられている光検出器であり、フォトダイオードが配列された４分割センサー等にて構成されている。斯かる光検出器２１の構成及び非点収差法によるフォーカスエラー信号の生成動作等は周知であり、その説明は省略する。
【００４４】
前記対物レンズ１９は、周知のように例えば４本の支持ワイヤーによって光ディスクＤの信号面に対して垂直方向、即ちフォーカス方向への変位動作及び光ディスクＤの径方向
、即ちトラッキング方向への変位動作を可能に設けられているレンズホルダーに固定されている。また、レンズホルダーに固定されている対物レンズ１９の光軸は、光ディスクＤの信号面に対して垂直方向になるように構成されている。
【００４５】
斯かる構成の光ピックアップ装置を使用して光ディスクＤに記録されている信号の再生動作を行う場合には、レーザーダイオード１２に駆動電流が供給され、該レーザーダイオード１２から波長が６５０ｎｍのレーザー光が放射される。前記レーザーダイオード１２から放射されたレーザー光は、回折格子１３に入射され、該回折格子１３を構成する回折格子部１３ａによって０次光、＋１次光及び−１次光に分離されるとともに１／２波長板１３ｂによってＳ方向の直線偏光光に変換される。前記回折格子１３を透過したレーザー光は、偏光ビームスプリッタ１４に入射され、該偏光ビームスプリッタ１４に設けられている制御膜１４ａにて反射されるとともに一部のレーザー光は該制御膜１４ａを透過してモニター用光検出器１５に照射される。
【００４６】
前記制御膜１４ａにて反射されたレーザー光は、１／４波長板１６を通してコリメートレンズ１７に入射され該コリメートレンズ１７の働きによって平行光に変換される。前記コリメートレンズ１７によって平行光に変換されたレーザー光は、プリズム１８に設けられている入射面１８ａに照射される。
【００４７】
前記プリズム１８の入射面１８ａに照射されたレーザー光は、該入射面１８ａによる屈折作用によって光路の角度が変更されて反射面１８ｂに照射される。該反射面１８ｂに照射されたレーザー光は、該反射面１８ｂによって反射されて、その光路方向が図示したように変更される。
【００４８】
前記反射面１８ｂによって反射されたレーザー光は、前記プリズム１８に形成されている反射兼出射面１８ｃに照射され、該反射兼出射面１８ｃによって前記反射面１８ｂ方向へ反射される。このようにして前記反射兼出射面１８ｃにて反射されたレーザー光が前記反射面１８ｂに照射されると、該レーザー光は該反射面１８ｂによって再度反射される。
【００４９】
前記反射面１８ｂによって再度反射されたレーザー光は、前記反射兼出射面１８ｃに照射されるが、この場合における該反射兼出射面１８ｃに対する入射角が大きくなるように構成されている。
【００５０】
その結果、前記反射兼出射面１８ｃに照射されたレーザー光は、反射されることなく該反射兼出射面１８ｃを通して外部へ出射される。そして、前記反射兼出射面１８ｃから外部へ出射されるレーザー光は、屈折されてその出射方向が変更されるが、その方向は対物レンズ１９の光軸と一致するように構成されている。
【００５１】
前記プリズム１８の反射兼出射面１８ｃを通して外部へ出射されたレーザー光は、対物レンズ１９に入射されることになる。このようにして前記対物レンズ１９に入射されたレーザー光は該対物レンズ１９の集光動作によって光ディスクＤの信号記録層にスポットとして照射されることになる。このようにして、レーザーダイオード１２から放射されるレーザー光は、光ディスクＤの信号記録層に所望のスポットとして照射されるが、この場合における対物レンズ１９の開口数は０．６になるように設定されている。
【００５２】
前述した動作によってレーザー光の光ディスクＤに設けられている信号記録層への照射動作が行われるが、斯かる照射動作が行われるとき、該信号記録層から反射される戻り光が対物レンズ１９に対して光ディスクＤ側から入射される。前記対物レンズ１９に入射された戻り光は、プリズム１８、コリメートレンズ１７及び１／４波長板１６を通して偏光ビームスプリッタ１４に入射される。前記偏光ビームスプリッタ１４に入射される戻り光
は、前記１／４波長板１６によってＰ方向の直線偏光光に変換されているので、該偏光ビームスプリッタ１４に設けられている制御膜１４ａを透過することになる。
【００５３】
前記制御膜１４ａを透過したレーザー光の戻り光は、センサーレンズ２０に入射され、該センサーレンズ２０の働きによって非点収差が発生せしめられる。前記センサーレンズ２０によって非点収差が発生せしめられた戻り光は、該センサーレンズ２０の集光動作によって光検出器２１に設けられている４分割センサー等のセンサー部に照射される。このようにして戻り光が光検出器２１に照射される結果、該光検出器２１に組み込まれているセンサー部に照射されるスポット形状の変化を利用して周知のようにフォーカスエラー信号の生成動作が行われる。それ故、斯かるフォーカスエラー信号を利用して対物レンズ１９を光ディスクＤの信号面に対して垂直方向へ変位させることによってフォーカス制御動作を行うことが出来る。
【００５４】
また、本実施例では説明しないが、前記回折格子１３によって生成される＋1次光と−1次光を利用した周知のトラッキング制御動作を行うことが出来るように構成されており、斯かるトラッキング制御動作によって対物レンズ１９をトラッキング方向へ変位させることによって光ディスクＤに記録されている信号の読み取り動作を行うことが出来る。
【００５５】
前述したように光ディスクＤに記録されている信号の読み取り動作は行われるが、斯かる読み取り動作が行われているとき、モニター用光検出器１５にレーザー光の一部が照射されているので、該モニター用光検出器１５から得られるモニター信号のレベル変化を利用してレーザーダイオード１２に供給される駆動電流値を制御することが出来る。
【００５６】
レーザーダイオード１２に供給される駆動電流値を制御することによってレーザー光の出力を制御することが出来るので、光ディスクＤに記録されている信号の再生動作だけでなく該光ディスクＤに信号を記録する場合に要求されるレーザー出力の調整動作も行うことが出来る。
【００５７】
図１に示したように本発明に係る光ピックアップ装置は、構成されているが、同図において、偏向ビームスプリッタ１４及びコリメートレンズ１７等の光学素子の寸法や配置は、説明のために実際とは異なるように描いている。即ち、実際の光ピックアップ装置では、全ての光学素子は、基台、即ち光ピックアップ装置を構成する底板２２と光ディスクＤとの間の空間部に配置されるように構成されている。
【００５８】
図２は本発明に係るプリズム１８の拡大図であり、入射面１８ａに入射されるレーザー光Ｌ1は該入射面１８ａにて屈折されてレーザー光Ｌ２として反射面１８ｂ方向へ照射される。斯かるレーザー光Ｌ２は、前記反射面１８ｂにて反射されてレーザー光Ｌ３として反射兼出射面１８ｃ方向へ照射される。
【００５９】
前記反射面１８ｂにて反射されて反射兼出射面１８ｃに照射されるレーザー光Ｌ３は、該反射兼出射面１８ｃにて反射されてレーザー光Ｌ４として反射面１８ｂ方向へ照射される。前記反射面１８ｂに照射されたレーザー光Ｌ４は、該反射面１８ｂにて再度反射されてレーザー光Ｌ５として反射兼出射面１８ｃ方向へ照射される。
【００６０】
このようにして、反射兼出射面１８ｃに照射されるレーザー光Ｌ５の該反射兼出射面１８ｃに対する入射角は、図示したように大きくなるように構成されているので、該反射兼出射面１８ｃに照射されるレーザー光Ｌ５は、反射されることなく外部にレーザー光Ｌ６として出射される。
【００６１】
このように本発明を構成するプリズム１８は、反射面１８ｂにて２度反射させるように
したので、該プリズム１８の厚み、即ち図２において上下方向の長さを短くすることが出来る。
【００６２】
前記プリズム１８に設けられている入射面１８ａ、反射面１８ｂ及び反射兼出射面１８ｃに照射されるレーザー光の入射角度をプリズム１８の屈折率やレーザー光の波長に応じて設定することによって各面における入射、屈折、反射及び透過の各動作を行うことが出来るようにすることが出来る。斯かるプリズム１８に設けられている各面において、入射、屈折、反射及び透過等の各動作が行われる光学原理は、周知であり、その説明は省略する。
【００６３】
図２において、プリズム１８に形成されている入射面１８ａと反射面１８ｂとの間の内角度をθ１、反射兼出射面１８ｃと反射面１８ｂとの間の内角度をθ２としたとき、θ１及びθ２は、３０度程度になるように設定される。また、本実施例では、θ１＝θ２になるように構成されており、斯かる構成によればプリズム１８は図示したように左右が対称になるので、プリズム１８の製造が簡単になるだけでなく、光ピックアップ装置の組み立てを容易に行うことが出来るという利点がある。
【００６４】
尚、本実施例では、レーザーダイオード１２として、波長が６５０ｎｍのレーザー光を放射させるレーザーダイオードを使用したが、他の波長のレーザー光を放射させるレーザーダイオードを使用する光ピックアップ装置に実施することは勿論可能である。また、プリズム１８の硝材としてＢＫ７ガラスを使用したが、他の硝材を使用することも可能である。
【００６５】
そして、本実施例では、コリメートレンズ１７にて平行光に変換されたレーザー光をそのままプリズム１８の入射面１８ａに入射させるようにしたが、コリメートレンズ１７とプリズム１８の入射面１８ａとの間の光路に回折格子や三角プリズム等のレーザー光の照射方向を変更させる部材を設けることも出来る。即ち、斯かる構成によればコリメートレンズ１７から出射されるレーザー光をプリズム１８の反射面１８ｂに対して平行にすることが出来るので、光ピックアップ装置の薄型化を行うことが出来る。
【００６６】
また、本実施例では、プリズム１８の入射面１８ａに入射されるレーザー光Ｌ１の反射面１８ｂに対する角度が０度より大きい場合について説明したが、レーザー光Ｌ１の反射面１８ｂに対する角度を０度、即ちレーザー光Ｌ１をプリズム１８の反射面１８ｂに対して平行にすることも出来る。そして、斯かる場合において、プリズム１８を屈折率が１．５２の硝材にて製造したとき、前記θ１は４１．０５度、θ２は３０度にて実施することが出来る。
【００６７】
本発明のプリズムは、反射面１８ｂにてレーザー光を２度反射させるようにしているが、従来の技術のように１度だけ反射させるプリズムの倍率、即ち入射面に入射されるレーザー光の径と出射面から出射されるレーザー光の径との比と２度反射させるプリズムの倍率とを比較すると、２度反射させるプリズムの方が大きくなるという特徴がある。
【００６８】
従って、対物レンズに入射されるレーザー光Ｌ６の径が同一である場合には、プリズム１８の入射面１８ａに入射されるレーザー光Ｌ１の径を従来の技術と比較して本発明の方が小さくなる。このように本発明は、プリズム１８の入射面１８ａに入射されるレーザー光Ｌ１の径を小さくすることが出来るので、プリズム１８とレーザーダイオード１２との間に配置される光学系を薄くすることが出来るという利点を有している。
【図面の簡単な説明】
【００６９】
【図１】本発明の光ピックアップ装置を示す概略図である。
【図２】本発明の光ピックアップ装置に係るプリズムの拡大図である。
【図３】従来の光ピックアップ装置を示す概略図である。
【符号の説明】
【００７０】
１２      レーザーダイオード
１４      偏光ビームスプリッタ
１７      コリメートレンズ
１８      プリズム
１８ａ    入射面
１８ｂ    反射面
１８ｃ    反射兼出射面
１９      対物レンズ
２２      底板
Ｄ        光ディスク
【図１】
0004776601.tif 000002
【図２】
0004776601.tif 000003
【図３】
0004776601.tif 000004